(57)【要約】【課題】フィン自体により笛吹音を抑制できる空調用レジスタを提供することを課題とする。【解決手段】空調用レジスタ１は、空調用空気が流れる通風路２５を内側に区画する筒状のリテーナ２と、リテーナ２内側に枢支され空調用空気の風向を横方向に調整可能な縦フィン３と、リテーナ２内側に枢支され空調用空気の風向を縦方向に調整可能な横フィン４と、を備える。縦フィン３および横フィン４のうち少なくとも一方は、揺動角度および揺動速度を制御可能な制御フィン３である。制御フィン３の揺動角度は、空調用空気の風向を調整する風向調整角度域Ａ０と、風向調整角度域Ａ０の広角度側に配置され通風路２５を遮断するシャット角度域Ａ１と、に切り替え可能である。シャット角度域Ａ１における制御フィン３の揺動速度は、風向調整角度域Ａ０における制御フィン３の揺動速度よりも速い。【選択図】  図２
2004243823.tif 000002
【特許請求の範囲】
【請求項１】
上流側において空調用ダクトと連通し、空調用空気が流れる通風路を内側に区画する筒状のリテーナと、
該リテーナ内側に枢支され、該通風路における空調用空気の風向を横方向に調整可能な縦フィンと、
該リテーナ内側に枢支され、該通風路における空調用空気の風向を縦方向に調整可能な横フィンと、
を備えてなる空調用レジスタであって、
前記縦フィンおよび前記横フィンのうち少なくとも一方は、揺動角度および揺動速度を制御可能な制御フィンであって、
該制御フィンの揺動角度は、空調用空気の風向を調整する風向調整角度域と、該風向調整角度域の広角度側に配置され前記通風路を遮断するシャット角度域と、に切り替え可能であって、
該シャット角度域における該制御フィンの揺動速度は、該風向調整角度域における該制御フィンの揺動速度よりも、速いことを特徴とする空調用レジスタ。
【請求項２】
前記制御フィンは、前記縦フィンおよび前記横フィンのうち、より上流側に配置された方のフィンである請求項１に記載の空調用レジスタ。
【請求項３】
前記縦フィンおよび前記横フィンのうち、より下流側に配置された方のフィンは、前記制御フィンが前記通風路を遮断した後に、該通風路を遮断する請求項２に記載の空調用レジスタ。
【請求項４】
より下流側に配置された方の前記フィンの前記通風路を遮断する際の揺動速度は、前記制御フィンの前記シャット角度域における揺動速度よりも、遅い請求項３に記載の空調用レジスタ。
【請求項５】
前記シャット角度域は、前記リテーナ内面と、該リテーナ内面に隣接する制御フィンと、の間の隙間が、２ｍｍ以内となる角度域である請求項１に記載の空調用レジスタ。
【請求項６】
前記シャット角度域は、前記リテーナ内面と、該リテーナ内面に隣接する制御フィンと、の間の隙間が、５ｍｍ以内となる角度域である請求項１に記載の空調用レジスタ。
【請求項７】
さらに、前記縦フィンを駆動する縦フィン駆動モータと、前記横フィンを駆動する横フィン駆動モータと、該縦フィン駆動モータおよび該横フィン駆動モータを制御するモータ制御装置と、を備え、
該モータ制御装置は、前記制御フィンの前記揺動角度および前記揺動速度を制御可能な請求項１に記載の空調用レジスタ。
【発明の詳細な説明】
【０００１】
【発明の属する技術分野】
本発明は空調用レジスタ、より詳しくは空調用ダクトと車室内とを連通し空調用空気の風向や風量などを調整する空調用レジスタに関する。
【０００２】
【従来の技術】
空調用レジスタは、エアーコンディショナにより調温、調湿された空調用空気を車室内に供給するための装置である。図１５に、空調用レジスタの側方断面図を示す。図に示すように、空調用レジスタ１００は、リテーナ１０１と縦フィン１０２と横フィン１０３とベゼル１０４とシャットダンパ１０５とを備えている。縦フィン１０２は、横方向に揺動可能である。縦フィン１０２は、通風路１０６における空調用空気の風向を横方向に調整することができる。横フィン１０３は、縦方向に揺動可能である。横フィン１０３は、通風路１０６における空調用空気の風向を縦方向に調整することができる。シャットダンパ１０５は、縦方向に揺動可能である。シャットダンパ１０５は、通風路１０６を遮断する場合に用いられる。具体的には、図中一点鎖線で示すように、シャットダンパ１０５を揺動させることにより、通風路１０６を遮断する。
【０００３】
【特許文献１】
特開平１１−１９８６４６号公報
【０００４】
【発明が解決しようとする課題】
ところで、通風路１０６を遮断する場合、シャットダンパ１０５ではなく、縦フィン１０２または横フィン１０３を用いることも考えられる。図１６に、空調用レジスタの上方断面図を示す。なお、図１５と対応する部位については同じ符号で示す。また、シャットダンパは省略して示す。図に示すように、例えば、縦フィン１０２により通風路１０６を遮断する場合は、風向調整に用いられる角度域を超える角度域Ａまで、縦フィン１０２を揺動させてやればよい。しかしながら、縦フィン１０２が角度域Ａに進入すると、リテーナ１０１内面と縦フィン１０２先端との間の隙間Ｄが狭まってくる。この狭小な隙間Ｄを空調用空気が通過すると、いわゆる笛吹音が発生するおそれがある。笛吹音は搭乗者にとって耳障りである。
【０００５】
笛吹音を抑制するため、特許文献１には、シャットダンパと横フィンとを連動させた空調用レジスタが紹介されている。同文献記載の空調用レジスタにおいては、通風路を遮断する場合まずシャットダンパが揺動する。そして、シャットダンパにより通風路が遮断される。次いで、シャットダンパにより完全に通風路が遮断された後から、シャットダンパよりも下流側の横フィンが揺動する。そして、横フィンにより通風路が遮断される。
【０００６】
横フィン揺動時において、空調用空気はシャットダンパにより堰き止められている。このため、空調用空気は通風路内を流れていない。したがって、同文献の空調用レジスタによると、横フィンにより通風路が遮断される際、笛吹音が発生しにくい。
【０００７】
しかしながら、同文献記載の空調用レジスタの通風路遮断機構は、前出図１５の空調用レジスタの通風路遮断機構と、実質的には同じである。すなわち、双方の空調用レジスタにおいて、実際に通風路を遮断しているのはシャットダンパである。言い換えると、同文献の空調用レジスタにおいて、横フィンは、言わば形骸的に通風路を遮断しているにすぎない。つまり、笛吹音を抑制しているのは、シャットダンパであり、横フィンではない。
【０００８】
本発明の空調用レジスタは、上記課題に鑑みて完成されたものである。したがって、本発明は、フィン自体により笛吹音を抑制できる空調用レジスタを提供することを目的とする。
【０００９】
【課題を解決するための手段】
（１）上記課題を解決するため、本発明の空調用レジスタは、上流側において空調用ダクトと連通し、空調用空気が流れる通風路を内側に区画する筒状のリテーナと、該リテーナ内側に枢支され、該通風路における空調用空気の風向を横方向に調整可能な縦フィンと、該リテーナ内側に枢支され、該通風路における空調用空気の風向を縦方向に調整可能な横フィンと、を備えてなる空調用レジスタであって、前記縦フィンおよび前記横フィンのうち少なくとも一方は、揺動角度および揺動速度を制御可能な制御フィンであって、該制御フィンの揺動角度は、空調用空気の風向を調整する風向調整角度域と、該風向調整角度域の広角度側に配置され前記通風路を遮断するシャット角度域と、に切り替え可能であって、該シャット角度域における該制御フィンの揺動速度は、該風向調整角度域における該制御フィンの揺動速度よりも、速いことを特徴とする。
【００１０】
つまり、本発明の空調用レジスタは、縦フィンおよび横フィンのうち少なくとも一方を、制御フィンとするものである。制御フィンの揺動速度は、制御フィンの揺動角度に応じて、変化させることができる。
【００１１】
制御フィンの揺動角度は、風向調整角度域とシャット角度域との二段階に切り替えることができる。風向調整角度域は、車室内において、通常、搭乗者が空調用空気の風向を調整する際に用いられる角度域である。風向調整角度域においては、所望の風量を確保する必要がある。このため、隣り合う制御フィン同士の間の隙間、リテーナ内面とこのリテーナ内面に隣接する制御フィンとの間の隙間は、比較的広い。したがって、笛吹音は発生しにくい。
【００１２】
これに対し、シャット角度域は、搭乗者が通風路を遮断する際に用いられる角度域である。シャット角度域は、風向調整角度域の広角度側に設定されている。シャット角度域においては、隣り合う制御フィン同士の間の隙間、リテーナ内面とこのリテーナ内面に隣接する制御フィンとの間の隙間は、比較的狭い。したがって、笛吹音は発生しやすい。
【００１３】
そこで、本発明の空調用レジスタにおいては、シャット角度域における制御フィンの揺動速度を、風向調整角度域における制御フィンの揺動速度よりも、高速に設定してある。本発明の空調用レジスタによると、笛吹音が発生しやすいシャット角度域において、制御フィンは比較的速く揺動する。このため、笛吹音を抑制することができる。
【００１４】
（２）好ましくは、前記制御フィンは、前記縦フィンおよび前記横フィンのうち、より上流側に配置された方のフィンである構成とする方がよい。つまり、本構成は、上流側のフィンすなわちより車室内から遠い方のフィンを、制御フィンとするものである。本構成によると、車室内に近い下流側のフィンを制御フィンとした場合と比較して、通風路を遮断する際の笛吹音が車室内に伝わりにくい。このため、不快な笛吹音を搭乗者が聴認しにくい。
【００１５】
（３）好ましくは、上記（２）の構成において、前記縦フィンおよび前記横フィンのうち、より下流側に配置された方のフィンは、前記制御フィンが前記通風路を遮断した後に、該通風路を遮断する構成とする方がよい。つまり、この構成は制御フィンが通風路を遮断した後に、下流側つまり車室内に近い方のフィンにより、通風路を遮断するものである。本構成によると、通風路が遮断されたことを搭乗者が視認しやすくなる。
【００１６】
（４）好ましくは、上記（３）の構成において、より下流側に配置された方のフィンの前記通風路を遮断する際の揺動速度は、前記制御フィンの前記シャット角度域における揺動速度よりも、遅い構成とする方がよい。本構成によると、車室内に表出する「より下流側に配置された方のフィン」が、比較的ゆっくりと揺動して通風路を遮断する。このため、揺動に高級感があり見栄えがよい。
【００１７】
（５）好ましくは、前記シャット角度域は、前記リテーナ内面と、該リテーナ内面に隣接する制御フィンと、の間の隙間が、２ｍｍ以内となる角度域である構成とする方がよい。本構成は、リテーナ内面と、リテーナ内面に隣接する制御フィンと、の間の隙間が、２ｍｍ以内つまり２ｍｍから０ｍｍ（通風路遮断状態）までとなるように、シャット角度域を設定するものである。隙間を２ｍｍ以内に限定したのは、隙間が２ｍｍを超える場合、比較的笛吹音が発生しにくいからである。
【００１８】
（６）好ましくは、前記シャット角度域は、前記リテーナ内面と、該リテーナ内面に隣接する制御フィンと、の間の隙間が、５ｍｍ以内となる角度域である構成とする方がよい。本構成は、リテーナ内面と、リテーナ内面に隣接する制御フィンと、の間の隙間が、５ｍｍ以内つまり５ｍｍから０ｍｍ（通風路遮断状態）までとなるように、シャット角度域を設定するものである。隙間を５ｍｍ以内に限定したのは、隙間が５ｍｍを超える場合、笛吹音が発生しにくいからである。
【００１９】
隙間が５ｍｍ以内２ｍｍを超える場合であっても、笛吹音が発生することも考えられる。本構成によると、隙間が５ｍｍ以内になると制御フィンが高速で揺動する。したがって、この場合であっても笛吹音を確実に抑制することができる。
【００２０】
（７）好ましくは、さらに、前記縦フィンを駆動する縦フィン駆動モータと、前記横フィンを駆動する横フィン駆動モータと、該縦フィン駆動モータおよび該横フィン駆動モータを制御するモータ制御装置と、を備え、該モータ制御装置は、前記制御フィンの前記揺動角度および前記揺動速度を制御可能な構成とする方がよい。
【００２１】
つまり、本構成は、縦フィンと横フィンとをモータ駆動にするものである。モータ制御装置は、制御フィンの揺動角度および揺動速度を制御可能である。したがって、本構成によると、手動により制御フィンの揺動角度および揺動速度を制御する場合と比較して、制御フィンの制御が簡単になる。すなわち、笛吹音の抑制が簡単になる。
【００２２】
【発明の実施の形態】
以下、本発明の空調用レジスタの実施の形態について説明する。
【００２３】
（１）第一実施形態
まず、本実施形態の空調用レジスタの構成について説明する。図１に、本実施形態の空調用レジスタの分解図を示す。図に示すように、空調用レジスタ１は、リテーナ２と縦フィン３と横フィン４と縦フィン駆動モータ３０と横フィン駆動モータ４０とモータ制御装置５とベゼル６とを備えている。縦フィン３は、本発明の制御フィンに相当する。
【００２４】
リテーナ２は、樹脂製であって角筒状を呈している。リテーナ２は、インストルメントパネル（図略）に凹設されている。リテーナ２の上流側（図中左側）には、空調用ダクト（図略）が配置されている。リテーナ２の上壁には、縦フィン揺動孔２０が穿設されている。縦フィン揺動孔２０は、合計五つ配置されている。リテーナ２の下壁には、縦フィン揺動溝２１が凹設されている。縦フィン揺動溝２１は、合計五つ配置されている。リテーナ２の右壁には、横フィン揺動孔２２が穿設されている。横フィン揺動孔２２は、合計四つ配置されている。リテーナ２の左壁には、横フィン揺動溝２３が凹設されている。横フィン揺動溝２３は、合計四つ配置されている。リテーナ２の上壁外面からは、直方体状の座片２４が立設されている。座片２４は、合計二つ配置されている。座片２４には、ベゼル保持孔２４０が穿設されている。リテーナ２の内側には、通風路２５が区画されている。
【００２５】
ベゼル６は、樹脂製であって矩形板状を呈している。ベゼル６は、インストルメントパネルとほぼ面一に配置されている。ベゼル６の裏面からは、保持突起６０が突設されている。保持突起６０は、合計二つ配置されている。保持突起６０は、前記ベゼル保持孔２４０に嵌挿されている。この嵌挿により、ベゼル６は、リテーナ２に止着されている。ベゼル６には、矩形状の通風口６１が開設されている。通風口６１は、前記通風路２５と連通している。通風口６１の左側には、ＡＵＴＯキー６２と、ＳＨＵＴ／ＯＰＥＮキー６３と、十字方向キー６４と、が配置されている。
【００２６】
縦フィン３は、樹脂製であって短冊状を呈している。縦フィン３の上端面ほぼ中央からは、縦フィン揺動軸３４が突設されている。一方、縦フィン３の下端面ほぼ中央からは、縦フィン揺動軸３１が突設されている。縦フィン３は、合計五枚配置されている。縦フィン揺動軸３４は、前記縦フィン揺動孔２０に枢支されている。縦フィン３の下方には、五つのピニオン３２が配置されている。縦フィン揺動軸３１は、前記縦フィン揺動溝２１を貫通してピニオン３２に止着されている。すなわち、縦フィン３は、ピニオン３２と共に揺動可能である。ピニオン３２は、ラック３３と噛合している。また、ラック３３は、縦フィン駆動モータ３０の駆動ギア（図略）と噛合している。
【００２７】
横フィン４は、樹脂製であって短冊状を呈している。横フィン４は、縦フィン３の下流側（車室内側）に配置されている。横フィン４の右端面ほぼ中央からは、横フィン揺動軸４４が突設されている。一方、横フィン４の左端面ほぼ中央からは、横フィン揺動軸４１が突設されている。また、横フィン揺動軸４１の奥側には、横フィン駆動軸４２が並設されている。横フィン４は、合計四枚配置されている。横フィン揺動軸４４は、前記横フィン揺動孔２２に枢支されている。横フィン揺動軸４１は、前記横フィン揺動溝２３に枢支されている。横フィン４の左方には、樹脂製であって細板状の横フィン連結ロッド４３が配置されている。横フィン連結ロッド４３には、横フィン駆動孔４３０が穿設されている。横フィン駆動孔４３０は、合計四つ配置されている。横フィン駆動孔４３０には、前記横フィン駆動軸４２が枢支されている。横フィン連結ロッド４３は、第一リンクアーム４５および第二リンクアーム４６を介して、横フィン駆動モータ４０の駆動軸４００に連結されている。
【００２８】
モータ制御装置５は、エアコンＥＣＵ（図略）の中に組み込まれている。モータ制御装置５は、信号線Ｌ１を介して、イグナイタと電気的に接続されている。また、モータ制御装置５は、信号線Ｌ３を介して、前記ＡＵＴＯキー６２と電気的に接続されている。また、モータ制御装置５は、信号線Ｌ４を介して、前記ＳＨＵＴ／ＯＰＥＮキー６３と電気的に接続されている。また、モータ制御装置５は、信号線Ｌ５を介して、前記十字方向キー６４と電気的に接続されている。また、モータ制御装置５は、信号線Ｌ６を介して、前記縦フィン駆動モータ３０と電気的に接続されている。また、モータ制御装置５は、信号線Ｌ７を介して、前記横フィン駆動モータ４０と電気的に接続されている。
【００２９】
次に、本実施形態の空調用レジスタの縦フィンの動きについて説明する。図２に、本実施形態の空調用レジスタの上方断面図を示す。駆動力は、前出図１に示す縦フィン駆動モータ３０から、ラック３３→ピニオン３２を介して、縦フィン揺動軸３１に伝達される。この駆動力により、縦フィン３は、縦フィン揺動軸３１を中心に揺動可能である。図２に示すように、縦フィン３の揺動角度は、風向調整角度域Ａ０とシャット角度域Ａ１という二種類の角度域に切り替え可能である。通常、搭乗者に空調用空気を送風する場合、縦フィン３の揺動角度は、風向調整角度域Ａ０内となるように設定されている。縦フィン３により通風路２５を遮断する場合、縦フィン３の揺動角度は、風向調整角度域Ａ０から逸脱する。すなわち、縦フィン３は、シャット角度域Ａ１に進入する。縦フィン３は、シャット角度域Ａ１内を図中反時計回りに揺動する。このときの縦フィン３の揺動速度は、風向調整角度域Ａ０内を揺動する際の揺動速度よりも速く設定されている。図３に、縦フィンにより通風路が遮断された状態つまりフィンシャット状態の本実施形態の空調用レジスタの上方断面図を示す。図に示すように、五枚の縦フィン３のうち、両端の縦フィン３がリテーナ２内面に当接し、縦フィン３同士が重畳することにより、通風路２５は完全に遮断される。すなわち、フィンシャットが終了する。
【００３０】
フィンシャット状態から通常の送風状態に切り替える場合は、縦フィン３は図中時計回りに揺動する。このときも、シャット角度域Ａ１内における縦フィン３の揺動速度は、風向調整角度域Ａ０内における揺動速度よりも速く設定されている。縦フィン３は、前出図１のモータ制御装置５により制御される。縦フィン３の制御方法については後述する。
【００３１】
なお、風向調整角度域Ａ０とシャット角度域Ａ１との境目は、リテーナ２内面と、リテーナ２内面に近接する縦フィン３と、の間の隙間幅により決定されている。具体的には、前出図２に示すように、隙間幅が、しきい値Ｄ１（＝５ｍｍ）以内となる角度域がシャット角度域Ａ１に相当する。
【００３２】
次に、本実施形態の空調用レジスタの横フィンの動きについて説明する。図４に、本実施形態の空調用レジスタの側方断面図を示す。図５に、横フィンによるフィンシャット状態の本実施形態の空調用レジスタの側方断面図を示す。駆動力は、前出図１に示す横フィン駆動モータ４０から、第二リンクアーム４６→第一リンクアーム４５→横フィン連結ロッド４３を介して、横フィン駆動軸４２に伝達される。この駆動力により、横フィン４は、横フィン揺動軸４１を中心に揺動可能である。図５に示すように、フィンシャット状態においては、横フィン４は、ベゼル６の表面とほぼ面一となり、通風路２５を遮断する。横フィン４は、前出図１のモータ制御装置５により制御される。横フィン４の制御方法については後述する。
【００３３】
次に、本実施形態の空調用レジスタの縦フィンおよび横フィンの制御方法について、図１および各動作時のフローチャートを用いて説明する。最初に、イニシャル動作時の制御方法について説明する。図６に、イニシャル動作時のフローチャートを示す。イグニッションキーがＯＮになると、信号線Ｌ１を介して、イグナイタからモータ制御装置５に信号が発信される（Ｓ１００）。この信号を受信したモータ制御装置５は、信号線Ｌ６を介して、縦フィン駆動モータ３０の電源をＯＮにする。並びに、信号線Ｌ７を介して、横フィン駆動モータ４０の電源をＯＮにする（Ｓ１０１）。そして、まず、横フィン駆動モータ４０が作動する（Ｓ１０２）。次いで、縦フィン駆動モータ３０が作動する（Ｓ１０３）。このようにして、イニシャル動作が終了する（Ｓ１０４）。
【００３４】
次いで、風向調整角度域（前出図２のＡ０）内において、縦フィン３を右方向に揺動させる際の制御方法について説明する。図７に、縦フィン右揺動時のフローチャートを示す。十字方向キー６４の右キーが搭乗者により押されると（Ｓ２００）、信号線Ｌ５を介して、十字方向キー６４からモータ制御装置５に信号が発信される。この信号を受信したモータ制御装置５は、信号線Ｌ６を介して、縦フィン駆動モータ３０を作動させる（Ｓ２０１）。縦フィン駆動モータ３０の駆動力は、ラック３３、ピニオン３２を介して、縦フィン３に伝達される。この駆動力を受けて縦フィン３は、右方向に揺動する。十字方向キー６４の右キーが搭乗者により押され続けている間、縦フィン３は右方向に揺動する。十字方向キー６４の右キーが搭乗者から解放されると（Ｓ２０２）、信号線Ｌ５を介して、十字方向キー６４からモータ制御装置５に信号が発信される。この信号を受信したモータ制御装置５は、信号線Ｌ６を介して、縦フィン駆動モータ３０を停止させる（Ｓ２０３）。停止後は、前出図６のイニシャル動作終了状態に戻る。このようにして、縦フィン３を右方向に揺動させる。
【００３５】
次いで、風向調整角度域内において、縦フィン３を左方向に揺動させる際の制御方法について説明する。左方向に揺動させる際の制御方法は、右方向に揺動させる際の制御方法と同様である。図８に、縦フィン左揺動時のフローチャートを示す。十字方向キー６４の左キーが押されると（Ｓ３００）、信号線Ｌ５を介して、モータ制御装置５に信号が発信される。モータ制御装置５は、信号線Ｌ６を介して、縦フィン駆動モータ３０を作動させる（Ｓ３０１）。縦フィン駆動モータ３０の駆動力を受けて、縦フィン３は、左方向に揺動する。十字方向キー６４の左キーが押され続けている間、縦フィン３は左方向に揺動する。十字方向キー６４の左キーが解放されると（Ｓ３０２）、信号線Ｌ５を介して、モータ制御装置５に信号が発信される。モータ制御装置５は、信号線Ｌ６を介して、縦フィン駆動モータ３０を停止させる（Ｓ３０３）。停止後は、前出図６のイニシャル動作終了状態に戻る。このようにして、縦フィン３を左方向に揺動させる。
【００３６】
次いで、横フィン４を上方向に揺動させる際の制御方法について説明する。図９に、横フィン上揺動時のフローチャートを示す。十字方向キー６４の上キーが搭乗者により押されると（Ｓ４００）、信号線Ｌ５を介して、十字方向キー６４からモータ制御装置５に信号が発信される。この信号を受信したモータ制御装置５は、信号線Ｌ７を介して、横フィン駆動モータ４０を作動させる（Ｓ４０１）。横フィン駆動モータ４０の駆動力は、第二リンクアーム４６、第一リンクアーム４５、横フィン連結ロッド４３を介して、横フィン４に伝達される。この駆動力を受けて横フィン４は、上方向に揺動する。十字方向キー６４の上キーが搭乗者により押され続けている間、横フィン４は上方向に揺動する。十字方向キー６４の上キーが搭乗者から解放されると（Ｓ４０２）、信号線Ｌ５を介して、十字方向キー６４からモータ制御装置５に信号が発信される。この信号を受信したモータ制御装置５は、信号線Ｌ７を介して、横フィン駆動モータ４０を停止させる（Ｓ４０３）。停止後は、前出図６のイニシャル動作終了状態に戻る。このようにして、横フィン４を上方向に揺動させる。
【００３７】
次いで、横フィン４を下方向に揺動させる際の制御方法について説明する。下方向に揺動させる際の制御方法は、上方向に揺動させる際の制御方法と同様である。図１０に、横フィン下揺動時のフローチャートを示す。十字方向キー６４の下キーが押されると（Ｓ５００）、信号線Ｌ５を介して、モータ制御装置５に信号が発信される。モータ制御装置５は、信号線Ｌ７を介して、横フィン駆動モータ４０を作動させる（Ｓ５０１）。横フィン駆動モータ４０の駆動力を受けて、横フィン４は、下方向に揺動する。十字方向キー６４の下キーが押され続けている間、横フィン４は下方向に揺動する。十字方向キー６４の下キーが解放されると（Ｓ５０２）、信号線Ｌ５を介して、モータ制御装置５に信号が発信される。モータ制御装置５は、信号線Ｌ７を介して、横フィン駆動モータ４０を停止させる（Ｓ５０３）。停止後は、前出図６のイニシャル動作終了状態に戻る。このようにして、横フィン４を下方向に揺動させる。
【００３８】
次いで、フィンシャット時の制御方法について説明する。図１１に、フィンシャット時のフローチャートを示す。ＳＨＵＴ／ＯＰＥＮキー６３が搭乗者により押されると（Ｓ６００）、信号線Ｌ４を介して、ＳＨＵＴ／ＯＰＥＮキー６３からモータ制御装置５に信号が発信される。この信号を受信したモータ制御装置５は、信号線Ｌ６を介して、縦フィン駆動モータ３０を作動させる（Ｓ６０１）。縦フィン駆動モータ３０の駆動力は、ラック３３、ピニオン３２を介して、縦フィン３に伝達される。この駆動力を受けて、縦フィン３は、右方向に揺動する。縦フィン３は、前出図３に示すフィンシャット状態になるまで揺動する（Ｓ６０２）。この際、縦フィン３は、前出図２に示す風向調整角度域Ａ０内においては、比較的ゆっくりと揺動する。また、縦フィン３は、前出図２に示す風向調整角度域Ａ１内においては、比較的速く揺動する。縦フィン３がフィンシャット状態になると、続いてモータ制御装置５は、信号線Ｌ７を介して、横フィン駆動モータ４０を作動させる（Ｓ６０３）。横フィン駆動モータ４０の駆動力は、第二リンクアーム４６、第一リンクアーム４５、横フィン連結ロッド４３を介して、横フィン４に伝達される。この駆動力を受けて、横フィン４は、下方向に揺動する。横フィン４は、前出図５に示すフィンシャット状態になるまで揺動する（Ｓ６０４）。この際、横フィン４は、比較的ゆっくりと揺動する。横フィン４がフィンシャット状態になると、フィンシャット動作が終了する（Ｓ６０５）。再びＳＨＵＴ／ＯＰＥＮキー６３が搭乗者により押されると（Ｓ６０６）、前出図６に示すイニシャル動作終了状態になる。
【００３９】
次いで、フィンスイング時の制御方法について説明する。図１２に、フィンスイング時のフローチャートを示す。ＡＵＴＯキー６２が搭乗者により１回押されると（Ｓ７００）、信号線Ｌ３を介して、ＡＵＴＯキー６２からモータ制御装置５に信号が発信される。この信号を受信して、モータ制御装置５は、モード１を選択する（Ｓ７０１）。そして、モータ制御装置５は、信号線Ｌ６を介して、縦フィン駆動モータ３０を作動させる（Ｓ７０２）。縦フィン駆動モータ３０の駆動力は、ラック３３、ピニオン３２を介して、縦フィン３に伝達される。この駆動力を受けて、縦フィン３は、左右にスイングする（Ｓ７０３）。この状態で、ＡＵＴＯキー６２が搭乗者により押されると（Ｓ７０４）、信号線Ｌ３を介して、ＡＵＴＯキー６２からモータ制御装置５に信号が発信される。この信号を受信したモータ制御装置５は、信号線Ｌ６を介して、縦フィン駆動モータ３０を停止させる。すなわち、オートスイング動作が終了する（Ｓ７１０）。オートスイング終了後は、前出図６に示すイニシャル動作終了状態になる。
【００４０】
これに対し、ＡＵＴＯキー６２が搭乗者により２回押されると（Ｓ７００）、信号線Ｌ３を介して、ＡＵＴＯキー６２からモータ制御装置５に信号が発信される。この信号を受信して、モータ制御装置５は、モード２を選択する（Ｓ７０１）。そして、モータ制御装置５は、信号線Ｌ６を介して、縦フィン駆動モータ３０を作動させる（Ｓ７０５）。縦フィン駆動モータ３０の駆動力は、ラック３３、ピニオン３２を介して、縦フィン３に伝達される。この駆動力を受けて、縦フィン３は、左右にスイングする（Ｓ７０６）。続いて、モータ制御装置５は、信号線Ｌ７を介して、横フィン駆動モータ４０を作動させる（Ｓ７０７）。横フィン駆動モータ４０の駆動力は、第二リンクアーム４６、第一リンクアーム４５、横フィン連結ロッド４３を介して、横フィン４に伝達される。この駆動力を受けて、横フィン４は、上下にスイングする（Ｓ７０８）。この状態で、ＡＵＴＯキー６２が搭乗者により押されると（Ｓ７０９）、信号線Ｌ３を介して、ＡＵＴＯキー６２からモータ制御装置５に信号が発信される。この信号を受信したモータ制御装置５は、信号線Ｌ６を介して、縦フィン駆動モータ３０を停止させる。また、モータ制御装置５は、信号線Ｌ７を介して、横フィン駆動モータ４０を停止させる。すなわち、オートスイング動作が終了する（Ｓ７１０）。オートスイング終了後は、前出図６に示すイニシャル動作終了状態になる。
【００４１】
次いで、電源ＯＦＦ時の制御方法について説明する。図１３に、電源ＯＦＦ時のフローチャートを示す。イグニッションキーがＯＦＦになると（Ｓ８００）、信号線Ｌ１を介して、イグナイタからモータ制御装置５に信号が発信される。この信号を受信したモータ制御装置５は、信号線Ｌ６を介して、縦フィン駆動モータ３０を作動させる（Ｓ８０１）。縦フィン駆動モータ３０の駆動力は、ラック３３、ピニオン３２を介して、縦フィン３に伝達される。この駆動力を受けて、縦フィン３は、フィンシャット状態まで揺動する（Ｓ８０２）。続いて、モータ制御装置５は、信号線Ｌ７を介して、横フィン駆動モータ４０を作動させる（Ｓ８０３）。横フィン駆動モータ４０の駆動力は、第二リンクアーム４６、第一リンクアーム４５、横フィン連結ロッド４３を介して、横フィン４に伝達される。この駆動力を受けて、横フィン４は、フィンシャット状態まで揺動する（Ｓ８０４）。横フィン４のフィンシャットが終了すると、電源がＯＦＦになる（Ｓ８０５）。
【００４２】
次に、本実施形態の空調用レジスタの効果について説明する。本実施形態の空調用レジスタ１においては、前出図２に示すシャット角度域Ａ１における縦フィン３の揺動速度を、風向調整角度域Ａ０における縦フィン３の揺動速度よりも、高速に設定してある。したがって、本実施形態の空調用レジスタ１によると、笛吹音が発生しやすいシャット角度域Ａ１において、縦フィン３は比較的速く揺動する。このため、笛吹音を抑制することができる。
【００４３】
また、本実施形態の空調用レジスタ１によると、縦フィン３および横フィン４のうち、より上流側に配置された方の縦フィン３を制御フィンとしている。縦フィン３は横フィン４よりも車室内から離れている。したがって、横フィン４を制御フィンとした場合と比較して、通風路２５を遮断する際の笛吹音が車室内に伝わりにくい。このため、本実施形態の空調用レジスタ１によると、不快な笛吹音を搭乗者が聴認しにくい。
【００４４】
また、本実施形態の空調用レジスタ１によると、縦フィン３がフィンシャットを行った後に、横フィン４がフィンシャットを行う。このため、通風路２５が遮断されたことを搭乗者が視認しやすい。
【００４５】
また、本実施形態の空調用レジスタ１によると、フィンシャット時における横フィン４の揺動速度は、縦フィン３のシャット角度域Ａ１における揺動速度よりも、遅く設定してある。したがって、車室内に表出する横フィン４は、比較的ゆっくりと揺動して通風路２５を遮断する。このため、本実施形態の空調用レジスタ１によると、横フィン４のフィンシャット動作に高級感があり見栄えがよい。
【００４６】
また、本実施形態の空調用レジスタ１によると、前出図２の隙間幅がしきい値Ｄ１（＝５ｍｍ）以内となる角度域を、シャット角度域Ａ１に設定してある。このため、隙間幅が５ｍｍ以内となる角度域において、笛吹音を確実に抑制することができる。
【００４７】
また、本実施形態の空調用レジスタ１によると、モータ制御装置５により縦フィン３の揺動角度および揺動速度を制御可能である。したがって、手動により縦フィン３の揺動角度および揺動速度を制御する場合と比較して、制御が簡単になる。すなわち、簡単に笛吹音を抑制することができる。
【００４８】
また、本実施形態の空調用レジスタ１によると、縦フィン３単独で完全に通風路２５を遮断することができる。このため、前出図１５に示すシャットダンパ１０５が配置されていない。したがって、本実施形態の空調用レジスタ１によると、リテーナ２の筒長を短くすることができる。また、通風路２５における通風抵抗を小さくすることができる。また、部品点数が少ない分、組み付けが簡単になる。
【００４９】
また、本実施形態の空調用レジスタ１によると、前出図５に示すように、フィンシャット状態において、横フィン４が、ベゼル６表面とほぼ面一に配置される。このため、見栄えがよい。
【００５０】
（２）第二実施形態
本実施形態と第一実施形態との相違点は、横フィンが制御フィンとなっている点である。また、この横フィンがモータ駆動ではなく、手動となっている点である。したがって、ここでは相違点についてのみ説明する。
【００５１】
図１４に、本実施形態の空調用レジスタの横フィン駆動部付近の拡大図を示す。なお、図１と対応する部位については同じ符号で示す。図に示すように、一番下の横フィン４の横フィン揺動軸４１の先端には、ピニオン７２が止着されている。ピニオン７２は、ラック７１と噛合している。ラック７１は、リテーナ２の側壁外面に、往復動可能に設置されている。ラック７１の上端はＬ字状に屈曲している。この屈曲部分には、ラック溝７１０が凹設されている。一方、ベゼル６の表面からは、円板状のダイアル７０の一部が突出している。ダイアル７０は、リテーナ２の側壁外面に枢支されている。ダイアル７０の他部は、ベゼル６の裏面側に隠れている。ダイアル７０のラック７１側の円面端部には、ダイアルピン７００が配置されている。ダイアルピン７００は、前記ラック溝７１０に挿入されている。
【００５２】
ダイアル７０が搭乗者により回されると、ダイアルピン７００がラック溝７１０内を相対的に摺動する。ダイアルピン７００とラック溝７１０との摺接により、ダイアル７０の回転運動がラック７１の往復動に変換される。ラック７１が往復動すると、ラック７１と噛み合っているピニオン７２が揺動する。このため、一番下の横フィン４も揺動する。一番下の横フィン４と他の横フィン４とは、横フィン駆動軸４２および横フィン連結ロッド４３により連結されている。このため、一番下の横フィン４が揺動すると、全ての横フィン４が一斉に揺動する。
【００５３】
本実施形態の空調用レジスタ１によると、ダイアルピン７００とラック溝７１０との摺接により、ダイアル７０の回転運動がラック７１の往復動に変換される。ここで、ダイアルピン７００がダイアル７０の回転中心から距離Ｒだけ離れており、ダイアル７０が角度αだけ回転する場合、ラック７１は距離Ｒ（１−ＣＯＳα）だけ動く。したがって、搭乗者がダイアル７０を一定の速度で回しても、ラック７１の往復動速度は一定にならない。この速度変化を利用して、本実施形態の空調用レジスタ１においては、シャット角度域における横フィン４の揺動速度を、風向調整角度域における横フィン４の揺動速度よりも、高速に設定してある。このため、本実施形態の空調用レジスタ１の場合であっても、第一実施形態同様に、笛吹音を抑制することができる。
【００５４】
なお、本実施形態のように揺動速度が刻一刻と変化する場合、風向調整角度域における揺動速度とは、風向調整角度域全域に亘る平均揺動速度をいう。また、シャット角度域における揺動速度とは、シャット角度域全域に亘る平均揺動速度をいう。すなわち、本実施形態においては、シャット角度域における横フィン４の平均揺動速度を、風向調整角度域における横フィン４の平均揺動速度よりも、高速に設定してある。
【００５５】
（３）その他
以上、本発明の空調用レジスタの実施の形態について説明した。しかしながら、実施の形態は上記形態に特に限定されるものではない。当業者が行いうる種々の変形的形態、改良的形態で実施することも可能である。
【００５６】
例えば、第一実施形態においては縦フィン３を制御フィンとした。また、第二実施形態においては横フィン４を制御フィンとした。しかしながら、双方のフィンを制御フィンとしてもよい。
【００５７】
また、上記実施形態においては、シャットダンパを配置しなかったが、シャットダンパを配置してもよい。この場合、まずシャットダンパにより通風路２５を遮断し、次いで制御フィンにより通風路２５を遮断してもよい。あるいは、まず制御フィンにより通風路２５を遮断し、次いでシャットダンパにより通風路２５を遮断してもよい。シャットダンパを配置すると、さらに確実に笛吹音を抑制することができる。
【００５８】
【発明の効果】
本発明によると、フィン自体により笛吹音を抑制可能な空調用レジスタを提供することができる。
【図面の簡単な説明】
【図１】第一実施形態の空調用レジスタの分解図である。
【図２】第一実施形態の空調用レジスタの上方断面図である。
【図３】縦フィンによるフィンシャット状態の第一実施形態の空調用レジスタの上方断面図である。
【図４】第一実施形態の空調用レジスタの側方断面図である。
【図５】横フィンによるフィンシャット状態の第一実施形態の空調用レジスタの側方断面図である。
【図６】第一実施形態の空調用レジスタのイニシャル動作時のフローチャートである。
【図７】第一実施形態の空調用レジスタの縦フィン右揺動時のフローチャートである。
【図８】第一実施形態の空調用レジスタの縦フィン左揺動時のフローチャートである。
【図９】第一実施形態の空調用レジスタの横フィン上揺動時のフローチャートである。
【図１０】第一実施形態の空調用レジスタの横フィン下揺動時のフローチャートである。
【図１１】第一実施形態の空調用レジスタのフィンシャット時のフローチャートである。
【図１２】第一実施形態の空調用レジスタのフィンスイング時のフローチャートである。
【図１３】第一実施形態の空調用レジスタの電源ＯＦＦ時のフローチャートである。
【図１４】第二実施形態の空調用レジスタの横フィン駆動部付近の拡大図である。
【図１５】従来の空調用レジスタの側方断面図である。
【図１６】従来の空調用レジスタの上方断面図である。
【符号の説明】
１：空調用レジスタ、２：リテーナ、２０：縦フィン揺動孔、２１：縦フィン揺動溝、２２：横フィン揺動孔、２３：横フィン揺動溝、２４：座片、２４０：ベゼル保持孔、２５：通風路、３：縦フィン（制御フィン）、３０：縦フィン駆動モータ、３１：縦フィン揺動軸、３２：ピニオン、３３：ラック、３４：縦フィン揺動軸、４：横フィン（制御フィン）、４０：横フィン駆動モータ、４００：駆動軸、４１：横フィン揺動軸、４２：横フィン駆動軸、４３：横フィン連結ロッド、４３０：横フィン駆動孔、４４：横フィン揺動軸、４５：第一リンクアーム、４６：第二リンクアーム、５：モータ制御装置、６：ベゼル、６０：保持突起、６１：通風口、６２：ＡＵＴＯキー、６３：ＳＨＵＴ／ＯＰＥＮキー、６４：十字方向キー、７０：ダイアル、７００：ダイアルピン、７１：ラック、７１０：ラック溝、７２：ピニオン、Ａ０：風向調整角度域、Ａ１：シャット角度域。
【図１】
2004243823.tif 000003
【図２】
2004243823.tif 000004
【図３】
2004243823.tif 000005
【図４】
2004243823.tif 000006
【図５】
2004243823.tif 000007
【図６】
2004243823.tif 000008
【図７】
2004243823.tif 000009
【図８】
2004243823.tif 000010
【図９】
2004243823.tif 000011
【図１０】
2004243823.tif 000012
【図１１】
2004243823.tif 000013
【図１２】
2004243823.tif 000014
【図１３】
2004243823.tif 000015
【図１４】
2004243823.tif 000016
【図１５】
2004243823.tif 000017
【図１６】
2004243823.tif 000018